(57)【要約】【課題】フラップの取り外し作業を容易に行うことのできる天井埋込型空気調和機の化粧パネルを提供する。【解決手段】パネル本体４０の４辺に形成された吹出口３７と、各吹出口３７に回動可能に設けられそれぞれ独立して回動自在とされたフラップ６０と、を備え、フラップ６０の一方の回動軸６１を回動自在に支持するとともに回動軸６１の軸方向に移動自在とされた軸支持部材６５と、軸支持部材６５を支持する軸受部５０とを備え、軸支持部材６５は、回動軸６１の軸方向への移動により、回動軸６１の支持または解除を行う。【選択図】図４
2017062088.tif 000002
【特許請求の範囲】
【請求項１】
パネル本体の４辺に形成された吹き出し口と、前記吹き出し口に回動可能に設けられそれぞれ独立して回動自在とされたフラップと、を備えてなる天井埋込型空気調和機の化粧パネルにおいて、
前記フラップの一方の回動軸を回動自在に支持するとともに前記回動軸の軸方向に移動自在とされた軸支持部材と、前記軸支持部材を支持する軸受部とを備え、
前記軸支持部材は、前記回動軸の軸方向への移動により、前記回動軸の支持または解除を行うことを特徴とする天井埋込型空気調和機の化粧パネル。
【請求項２】
前記軸支持部材は、前記回動軸の外周を被覆する支持筒と、前記支持筒の両側部に形成された係止用片と、前記各係止用片の外側に形成された係止突起とを備え、
前記軸受部は、前記支持筒を受け入れる軸受用溝と、前記軸受用溝の両側に形成された軸受支持面と、前記軸受支持面に形成された軸受押さえおよび突起押さえとを備え、
前記軸支持部材は、前記係止用片が軸受押さえに支持されるとともに、前記係止突起が前記突起押さえに支持された位置と、前記軸受押さえおよび前記突起押さえによる支持が解除された位置との間で、移動自在に構成されていることを特徴とする請求項１に記載の天井埋込型空気調和機の化粧パネル。
【請求項３】
前記フラップの他方の回動軸に、前記回動軸を回動させるフラップ駆動モータを取り付け、前記フラップ駆動モータは、モータ押さえ板を介して前記パネル本体に着脱自在に取り付けられていることを特徴とする請求項１または請求項２に記載の天井埋込型空気調和機の化粧パネル。
【請求項４】
前記パネル本体は、４つの角部に着脱自在に設けられたコーナーパネルを備え、前記コーナーパネルを取り外した状態で、前記モータ押さえ板および前記軸支持部材を外部に露出可能とされていることを特徴とする請求項３に記載の天井埋込型空気調和機の化粧パネル。
【発明の詳細な説明】
【技術分野】
【０００１】
本発明は、天井埋込型空気調和機の化粧パネルに係り、特に、それぞれ独立して上下方向の風向角度を変更することが可能なフラップが吹き出し口に設けられた天井埋込型空気調和機の化粧パネルに関する。
【背景技術】
【０００２】
従来より、空気調和機の室内ユニットとして、室内の天井に設置されるタイプのものがある。
このような室内ユニットには、一般に空気調和機本体を被覆する化粧パネルが装着されている。
このような化粧パネルとして、従来、例えば、化粧パネルの吹出口の長手方向に延在するフラップと、このフラップの回動軸が回動自在に取り付けられる取付孔を有しフラップの回動軸を駆動するステッピングモータが取り付けられる取付台座とを備えた技術が開示されている。（例えば、特許文献１を参照。）。
【先行技術文献】
【特許文献】
【０００３】
【特許文献１】特開２００９−０３０８２８号公報（特許第５１０３０８０号公報）
【発明の概要】
【発明が解決しようとする課題】
【０００４】
しかしながら、前記特許文献１の技術においては、取付台座を介してフラップを取り付けるようにしているので、フラップを取り外す場合には、取付台座ごと取り外す必要がある。そのため、化粧パネルを空気調和機に固定した状態で、フラップの取り外しあるいは交換作業の作業効率が極めて悪いという問題を有している。
【０００５】
本発明は前記した点に鑑みてなされたものであり、フラップの取り外し作業を容易に行うことのできる天井埋込型空気調和機の化粧パネルを提供することを目的とする。
【課題を解決するための手段】
【０００６】
前記目的を達成するため本発明は、パネル本体の４辺に形成された吹き出し口と、前記吹き出し口に回動可能に設けられそれぞれ独立して回動自在とされたフラップと、を備えてなる天井埋込型空気調和機の化粧パネルにおいて、前記フラップの一方の回動軸を回動自在に支持するとともに前記回動軸の軸方向に移動自在とされた軸支持部材と、前記軸支持部材を支持する軸受部とを備え、前記軸支持部材は、前記回動軸の軸方向への移動により、前記回動軸の支持または解除を行うことを特徴とする。
【０００７】
また、前記構成において、前記軸支持部材は、前記回動軸の外周を被覆する支持筒と、前記支持筒の両側部に形成された係止用片と、前記各係止用片の外側に形成された係止突起とを備え、前記軸受部は、前記支持筒を受け入れる軸受用溝と、前記軸受用溝の両側に形成された軸受支持面と、前記軸受支持面に形成された軸受押さえおよび突起押さえとを備え、前記軸支持部材は、前記係止用片が軸受押さえに支持されるとともに、前記係止突起が前記突起押さえに支持された位置と、前記軸受押さえおよび前記突起押さえによる支持が解除された位置との間で、移動自在に構成されていることを特徴とする。
【０００８】
また、前記構成において、前記フラップの他方の回動軸に、前記回動軸を回動させるフラップ駆動モータを取り付け、前記フラップ駆動モータは、モータ押さえ板を介して前記パネル本体に着脱自在に取り付けられていることを特徴とする。
【０００９】
また、前記構成において、前記パネル本体は、４つの角部に着脱自在に設けられたコーナーパネルを備え、前記コーナーパネルを取り外した状態で、前記モータ押さえ板および前記軸支持部材を外部に露出可能とされていることを特徴とする。
【発明の効果】
【００１０】
本発明によれば、軸支持部材を回動軸の軸方向に移動させるだけで回動軸の支持または解除を行うことができ、フラップの着脱作業を容易に行うことができる。
【図面の簡単な説明】
【００１１】
【図１】本発明の実施形態を示す天井埋込型空気調和機の縦断面図である。
【図２】本実施形態の天井埋込型空気調和機の斜視図である。
【図３】本実施形態の化粧パネルの平面図である。
【図４】本実施形態の化粧パネルのコーナーカバーを外した状態における軸支持部材による回動軸の支持前の状態を示す部分平面図である。
【図５】本実施形態の化粧パネルのコーナーカバーを外した状態における軸支持部材による回動軸の支持状態を示す部分平面図である。
【図６】本実施形態のフラップへのフラップ駆動モータの装着手順を示す斜視図である。
【図７】本実施形態のフラップの中央支持部材を軸支部材に軸支させる手順を示す斜視図である。
【図８】本実施形態のモータ押さえ板の装着手順を示す斜視図である。
【図９】本実施形態の軸支持部材の装着手順を示す斜視図である。
【図１０】本実施形態のコーナーカバーの装着手順を示す斜視図である。
【図１１】本実施形態の軸支持部材の取り外し手順を示す平面図である。
【図１２】本実施形態の中央支持部材の取り外し手順を示す斜視図である。
【図１３】本実施形態のフラップの取り外し手順を示す斜視図である。
【発明を実施するための形態】
【００１２】
以下、本発明に係る天井埋込型空気調和機の化粧パネルの実施形態について、図面を参照して説明する。
図１は、本発明の実施形態を示す天井埋込型空気調和機の縦断面図である。図２は、天井埋込型空気調和機の斜視図である。図３は、化粧パネルの平面図である。図４は、化粧パネルのコーナーカバーを外した状態における軸支持部材による回動軸の支持前の状態を示す部分平面図、図５は、化粧パネルのコーナーカバーを外した状態における軸支持部材による回動軸の支持状態を示す部分平面図である。
【００１３】
本実施形態においては、図１に示すように、室内ユニット１０は、建屋の天井１１とこの天井１１の下方に設置された天井板１２との間の天井空間１３に設置されるものである。
この室内ユニット１０は、図１に示すように、下面が開放された箱型に形成された空気調和機本体１４を備えており、空気調和機本体１４の外側角部には、吊り用金具１８が取り付けられている。空気調和機本体１４は、吊り用金具１８に連結された吊りボルト１５で天井１１から吊り下げられた状態で設置される。この空気調和機本体１４の内側には、発泡スチロール製の断熱部材１６が、空気調和機本体１４の側板１７の内面に接した状態で配置され、側板１７における結露を防止している。
【００１４】
空気調和機本体１４の上板の下面には、ファンモータ２１が取り付けられており、このファンモータ２１には、ファンモータ２１の駆動により回転駆動される回転シャフト２２が下方に延在するように設けられている。この回転シャフト２２の下端部分には、遠心ファン２３が取り付けられており、このファンモータ２１と遠心ファン２３とで送風装置２０を構成している。
【００１５】
遠心ファン２３は、環状の板状に形成された主板２４を備えている。主板２４の中心部分には、下方に延出する逆円錐台形状のモータ収容部２５が形成されている。
モータ収容部２５には、ファンモータ２１が収容されており、ファンモータ２１の回転シャフト２２は、下方に延在しモータ収容部２５の底面に連結されている。そして、ファンモータ２１を回転駆動させることにより、回転シャフト２２を介して遠心ファン２３を回転動作させるように構成されている。
【００１６】
主板２４の下方には、シュラウド２６が設けられており、シュラウド２６は、周面が弧状に形成された環状に形成されている。主板２４とシュラウド２６の内周面との間には、周方向に所定間隔をもって配置される複数の翼２７が一体に形成されている。
シュラウド２６の下方には、オリフィス２８が配置されており、オリフィス２８は、周面が弧状に形成された環状に形成されている。
【００１７】
この送風装置２０と断熱部材１６との間には、送風装置２０の側方を取り囲むように、平面視でほぼ四角形状に曲折形成された熱交換器３０が配置されている。
熱交換器３０は、冷房運転時には、冷媒の蒸発器として機能し、暖房運転時、冷媒の放熱器として機能する熱交換器３０である。熱交換器３０は、空気調和機本体１４の内部に吸い込まれる室内の空気と冷媒との熱交換を行って、冷房運転時には、空調室内の空気を冷却し、暖房運転時には、室内の空気を加熱することができるように構成されている。
【００１８】
また、熱交換器３０の下側には、熱交換器３０の下面に対応するようにドレンパン３１が配置されている。このドレンパン３１は、熱交換器３０で発生するドレン水を受けるためのものである。また、ドレンパン３１の中央部分には、送風装置２０の吸い込み口３２が形成されている。
【００１９】
また、空気調和機本体１４の下面には、図１および図２に示すように、空気調和機本体１４の下側開口を覆うように、ほぼ四角形状の化粧パネル３３が取り付けられている。
化粧パネル３３のパネル本体４０の中央部分には、ドレンパン３１の吸い込み口３２に連通する吸い込み口３４が形成されており、パネル本体４０の吸い込み口３４部分には、吸い込み口３４を覆う吸い込みグリル３５が着脱可能に取り付けられている。吸い込みグリル３５の空気調和機本体１４側には、空気中の塵などを除去するためのフィルタ３６が設けられている。
【００２０】
パネル本体４０の吸い込み口３４の外側であってパネル本体４０の各辺に沿った位置には、空調後の空気を室内に送る吹出口３７がそれぞれ形成されている。そして、ファンモータ２１により回転シャフト２２を回転駆動させて遠心ファン２３を回転させることにより、室内の空気は、吸い込み口３２，３４から吸い込まれ、フィルタ３６を通過した後に熱交換器３０を通過して熱交換され、吹出口３７から空調後の空気が室内に送られるように構成されている。
【００２１】
また、図４および図５に示すように、パネル本体４０の４つの角部には、作業用開口４１が形成されており、この作業用開口４１には、作業用開口４１を被覆するためのコーナーパネル４２が取り付けられている。コーナーパネル４２は、化粧パネル３３の下側に向けて取り外し可能に構成されている。
作業用開口４１の吹出口３７に接する２つの側辺は、軸受台座４３とされており、各軸受台座４３の間には、各軸受台座４３を連結する複数のリブ４４が形成されている。
【００２２】
リブ４４の中央部分には、円筒状のビス挿入部４５が形成されており、ビス挿入部４５には、空気調和機本体１４に対して化粧パネル３３を固定するためのビス４６が挿入されるように構成されている。ビス４６には、ビス４６の落下防止用ワッシャ４７が装着されている。ビス挿入部４５の周縁部には、落下防止用ワッシャ４７のビス挿入部４５からの落下を防止するための落下防止爪４８が形成されている。
そして、コーナーパネル４２を取り外した状態で、ビス４６を空気調和機本体１４に締め付けることで、化粧パネル３３を空気調和機本体１４に固定することができ、この化粧パネル３３を固定した状態で、作業用開口４１を介して空気調和機本体１４の吊り用金具１８と吊りボルト１５の連結位置まで取付作業者の手を入れることができるように構成されている。
【００２３】
各軸受台座４３のほぼ中央には、軸受部５０が形成されている。軸受部５０は、断面形状半円形状を有し吹出口３７に連通する軸受用溝５１を備えており、軸受用溝５１の両側には、平坦状の軸受支持面５２が形成されている。
軸受支持面５２の吹出口３７側端部には、軸受支持面５２に対して所定間隙をもって離間した状態で配置される軸受押さえ５３が形成されている。また、軸受支持面５２の作業用開口４１側には、軸受支持面５２に対して所定間隙をもって離間した突起押さえ５４が形成されている。
【００２４】
また、各吹出口３７には、図２および図３に示すように、風向を変更するフラップ６０がそれぞれ設けられている。各フラップ６０は、可撓性を有する樹脂材料により一体に形成されている。
各フラップ６０の両端部には、両側に突出する回動軸６１が一体に形成されている。
一方の回動軸６１には、例えば、ステッピングモータなどからなるフラップ駆動モータ６２が取り付けられており、フラップ駆動モータ６２は、モータ押さえ板６３に取付けられている。モータ押さえ板６３は、パネル本体４０の軸受台座４３にねじ６４により取付けられている。フラップ駆動モータ６２は、図示しない配線によって図示しない電気部品箱に接続されており、電気部品箱内の制御装置によって、フラップ駆動モータ６２を駆動することで、フラップ６０を回動動作させるとともに、フラップ６０の回動角度を制御するようになっている。
【００２５】
また、他方の回動軸６１には、軸支持部材６５が取付けられている。軸支持部材６５は、回動軸６１の外周を回動自在に支持する支持筒６６と、支持筒６６の両側部に形成された係止用片６７とを備えている。係止用片６７は、支持筒６６に対して所定間隙をもって配置され、その両端部分で支持筒６６の両端部分に連結されている。これにより、係止用片６７は、支持筒６６の長手方向に直交する方向に撓むことができるように構成されている。また、各係止用片６７の外側には、それぞれ係止突起６８が形成されている。
【００２６】
さらに、吹出口３７の長手方向中央部分には、軸支部材７０が突出形成されている。フラップ６０の長手方向中央部分には、中央支持部材７１が設けられており、中央支持部材の先端部には、軸支部材により回動自在に支持される支持突起７２が形成されている。
この支持突起７２は、回動軸６１と同軸となるように配置されており、回動軸６１を中心とした回動により、回動軸６１とともに支持突起７２を中心としてフラップを回動自在に支持することができるように構成されている。
また、中央支持部材７１は、可撓性を有しており、中央支持部材７１を撓ませることで、中央支持部材７１の支持突起７２を軸支部材７０から容易に取り外すことができるように構成されている。
【００２７】
次に、本実施形態におけるフラップ６０の取り付け手順について説明する。
なお、本実施形態においては、化粧パネル３３が空気調和機本体１４に固定されている状態で、フラップ６０を取り付ける場合の手順について説明する。
図６は、フラップへのフラップ駆動モータの装着手順を示す斜視図である。図７は、フラップの中央支持部材を軸支部材に軸支させる手順を示す斜視図である。図８は、モータ押さえ板の装着手順を示す斜視図である。図９は、軸支持部材の装着手順を示す斜視図である。図１０は、コーナーカバーの装着手順を示す斜視図である。
【００２８】
まず、フラップ６０を取り付ける場合には、図６に示すように、フラップ６０の一方の回動軸６１に、フラップ駆動モータ６２を取り付ける。
続いて、図７に示すように、フラップ６０の中央部分の中央支持部材７１の支持突起７２を吹出口３７の軸支部材７０に軸支させる。このとき、フラップ６０は可撓性を有する樹脂材料により一体成形されているので、フラップ６０が撓むことで、中央支持部材７１を軸支部材７０に容易に取り付けることができる。
この状態で、図８に示すように、モータ押さえ板６３をパネル本体４０にねじにより締め付け固定する。このとき、他方の回動軸６１は、軸受部５０の軸受用溝５１に位置させておく。
【００２９】
次に、図９に示すように、他方の回動軸６１に軸支持部材６５を装着して、この軸支持部材６５を軸受部５０の作業用開口４１側に設置する。この設置した状態で、軸支持部材６５の支持筒６６は軸受用溝５１に位置され、軸支持部材６５の係止用片６７は、軸受部５０の軸受支持面５２に位置されている。
この状態から、軸支持部材６５を図９中矢印方向すなわち吹出口３７方向に軸受用溝５１に沿って移動させる。これにより、軸支持部材６５の係止用片６７は、軸受押さえ５３部と軸受支持面５２との間に挿入される。軸支持部材６５をさらに矢印方向に移動すると、軸支持部材６５の係止突起６８が突起押さえ５４に当接し、軸支持部材６５のさらなる移動により、係止用片６７が支持筒６６方向に撓み、係止突起６８が突起押さえ５４により支持筒６６方向に押圧され、これにより、係止用片６７が撓むことで、係止突起６８が突起押さえ５４を乗り越える。
この状態で、軸支持部材６５は、その係止用片６７が軸受押さえ５３と突起押さえ５４とにより保持され、パネル本体４０の軸受台座４３に対して固定される。
【００３０】
最後に、図１０に示すように、コーナーパネル４２をねじによりパネル本体４０に固定することで、パネル本体４０にフラップ６０を取り付けることができる。
そして、前述のように制御装置によりフラップ駆動モータ６２を駆動制御することで、フラップ６０を所定の回動角度に回動させることが可能となる。
【００３１】
次に、フラップ６０を取り外す手順について説明する。
図１１は、軸支持部材の取り外し手順を示す平面図である。図１２は、中央支持部材の取り外し手順を示す斜視図である。図１３は、フラップの取り外し手順を示す斜視図である。
【００３２】
フラップ６０を取り外す場合は、まず、図１１に示すように、軸支持部材６５が、その係止用片６７が軸受押さえ５３と突起押さえ５４とにより保持された状態から、軸支持部材６５を作業用開口４１方向に移動させる。
この軸支持部材６５の移動により、軸支持部材６５の係止突起６８が突起押さえ５４に当接し、係止用片６７が支持筒６６方向に撓むことで、係止突起６８が突起押さえ５４を乗り越える。軸支持部材６５は、作業用開口４１方向にさらに移動されることで、軸支持部材６５の係止用片６７が、軸受押さえ５３から外れ、軸支持部材６５は、軸受押さえ５３および突起押さえ５４から解除された状態となる。
【００３３】
続いて、図１２に示すように、フラップ６０の中央支持部材７１の支持突起７２を吹出口３７の軸支部材７０から取り外す。このとき、フラップ６０は可撓性を有する樹脂材料により一体成形されているので、フラップ６０が撓むことで、中央支持部材７１の支持突起７２を軸支部材７０から容易に取り外すことができる。
最後に、図１３に示すように、回動軸６１を軸支持部材６５から取り外し、他方の回動軸６１をフラップ駆動モータ６２から引き抜くことで、フラップ６０をパネル本体４０から取り外すことができる。
【００３４】
このように本実施形態においては、コーナーパネル４２を取り外した状態で、軸受台座４３すなわち、モータ押さえ板６３および軸受部５０をそれぞれ外部に露出させることができるので、パネル本体４０を空気調和機本体１４に固定した状態で、フラップ６０の着脱作業またはフラップ駆動モータ６２の着脱作業を行うことが可能となる。
【００３５】
以上述べたように、本実施形態においては、フラップ６０の一方の回動軸６１を回動自在に支持するとともに回動軸６１の軸方向に移動自在とされた軸支持部材６５と、軸支持部材６５を支持する軸受部５０とを備え、軸支持部材６５は、回動軸６１の軸方向への移動により、回動軸６１の支持または解除を行う。
これによれば、軸支持部材６５を回動軸６１の軸方向に移動させるだけで回動軸６１の支持または解除を行うことができるので、フラップ６０の着脱作業を容易に行うことができる。
【００３６】
また、本実施形態においては、軸支持部材６５は、回動軸６１の外周を被覆する支持筒６６と、支持筒６６の両側部に形成された係止用片６７と、各係止用片６７の外側に形成された係止突起６８とを備え、軸受部５０は、支持筒６６を受け入れる軸受用溝５１と、軸受用溝５１の両側に形成された軸受支持面５２と、軸受支持面５２に形成された軸受押さえ５３および突起押さえ５４とを備え、軸支持部材６５は、係止用片６７が軸受押さえ５３に支持されるとともに、係止突起６８が突起押さえ５４に支持された位置と、軸受押さえ５３および前記突起押さえ５４による支持が解除された位置との間で、移動自在に構成されている。
これによれば、係止用片６７が軸受押さえ５３に支持されるとともに係止突起６８が突起押さえ５４に支持された位置と、軸受押さえ５３および前記突起押さえ５４による支持が解除された位置との間で、軸支持部材６５を回動軸６１の軸方向に移動させるだけで回動軸６１の支持または解除を行うことができ、フラップ６０の着脱作業を容易に行うことができる。
【００３７】
また、本実施形態においては、フラップ６０の他方の回動軸６１に、回動軸６１を回動させるフラップ駆動モータ６２を取り付け、フラップ駆動モータ６２は、モータ押さえ板６３を介してパネル本体４０に着脱自在に取り付けられている。
これによれば、回動軸６１を回動させるフラップ駆動モータ６２を、モータ押さえ板６３を介してパネル本体４０に固定しているので、モータ押さえ板６３を取り外すだけで、容易にフラップ駆動モータ６２の点検や交換などを行うことができる。
【００３８】
さらに、本実施形態においては、パネル本体４０は、４つの角部に着脱自在に設けられたコーナーパネル４２を備え、コーナーパネル４２を取り外した状態で、モータ押さえ板６３および軸支持部材６５を外部に露出可能とされている。
これによれば、コーナーパネル４２を取り外した状態で、モータ押さえ板６３および軸支持部材６５を外部に露出可能としているので、コーナーパネル４２を取り外すだけで、軸支持部材６５による回動軸６１の支持または解除、あるいは、フラップ駆動モータ６２の着脱作業を行うことができる。
【００３９】
なお、本発明の実施形態について図面に基づいて説明したが、本発明は、前記実施形態に限られるものではなく、発明の要旨を逸脱しない範囲で変更可能である。
【符号の説明】
【００４０】
１０  室内ユニット
１４  空気調和機本体
３３  化粧パネル
３７  吹出口
４０  パネル本体
４１  作業用開口
４２  コーナーパネル
４３  軸受台座
５０  軸受部
５１  軸受用溝
５２  軸受支持面
５３  軸受押さえ
５４  突起押さえ
６０  フラップ
６１  回動軸
６２  フラップ駆動モータ
６３  モータ押さえ板
６５  軸支持部材
６６  支持筒
６７  係止用片
６８  係止突起
７０  軸支部材
７１  中央支持部材
７２  支持突起
【図１】
2017062088.tif 000003
【図２】
2017062088.tif 000004
【図３】
2017062088.tif 000005
【図４】
2017062088.tif 000006
【図５】
2017062088.tif 000007
【図６】
2017062088.tif 000008
【図７】
2017062088.tif 000009
【図８】
2017062088.tif 000010
【図９】
2017062088.tif 000011
【図１０】
2017062088.tif 000012
【図１１】
2017062088.tif 000013
【図１２】
2017062088.tif 000014
【図１３】
2017062088.tif 000015